(57)【要約】【課題】  撮影日時で管理されている画像ファイルの中から、検索条件に一致する画像を表示する際、全画像ファイル中の検索条件に一致する画像ファイルの位置もしくは分布を確認可能に表示すると共に、検索条件に一致する画像を順に表示させる。【解決手段】  上下キー４５０、４５１を操作して検索条件が変更された場合、その変更後の条件に合致する画像を検索する。そして、画像ファイルの撮影日時順の並びの中で、検索条件に一致する画像群の相対位置を示すインジケータ４０７を表示する。また、左右キー４５２、４５３が操作された場合には、その検索条件に一致する画像の１つを画像表示エリア４０１に表示する。【選択図】  図４
2006211390.tif 000002
【特許請求の範囲】
【請求項１】
ファイル順序情報と関連づけられた複数の画像ファイルを記憶している記憶装置の中から、設定された検索条件に一致する画像を表示する画像処理装置であって、
前記ファイル順序情報で特定される前記複数の画像ファイルの並びの中で、前記検索条件に一致する画像群の相対位置を示すインジケータを表示するインジケータ表示手段と、
前記検索条件に一致する画像の１つを表示する画像表示手段と、
所定の指示入力に応じて、表示された画像に代わって、当該画像の後或いは前の順序位置にあり、前記検索条件に一致する画像を表示する画像切り換え手段と
を備えることを特徴とする画像処理装置。
【請求項２】
更に、予め設定された複数の検索条件の中からを検索条件を選択する選択手段と、
選択された検索条件を表示する検索条件表示手段と、
前記選択手段で検索条件が選択された場合、選択条件に一致する画像を検索する検索手段とを備え、
前記前記インジケータ表示手段は、前記検索手段で検索した際に、前記インジケータを表示することを特徴とする請求項１に記載の画像処理装置。
【請求項３】
更に、前記画像表示手段は、表示中の画像の位置を特定するマークを前記インジケータに表示することを特徴とする請求項１に記載の画像処理装置。
【請求項４】
前記選択手段で選択する検索条件には、撮影日時、撮影モード、画像ファイルの種類が含まれることを特徴とする請求項１または２に記載の画像処理装置。
【請求項５】
前記撮影モードには、自動、近景、ポートレート、スナップ、遠景が含まれることを特徴とする請求項４に記載の画像処理装置。
【請求項６】
前記画像ファイルの種類には、動画像、静止画が含まれることを特徴とする請求項４に記載の画像処理装置。
【請求項７】
前記選択手段は、撮影日時情報に基づく日或いは月の始めに撮影された画像を検索する条件を選択可能とすることを特徴とする請求項４に記載の画像処理装置。
【請求項８】
前記ファイル順序情報はファイル名に含まれるインデックス番号であることを特徴とする請求項１に記載の画像処理装置。
【請求項９】
前記ファイル順序情報は撮影日時を示す情報であることを特徴とする請求項１に記載の画像処理装置。
【請求項１０】
ファイル順序情報と関連づけられた複数の画像ファイルを記憶している記憶装置の中から、設定された検索条件に一致する画像を表示する画像処理装置の制御方法であって、
前記ファイル順序情報で特定される前記複数の画像ファイルの並びの中で、前記検索条件に一致する画像群の相対位置を示すインジケータを表示するインジケータ表示工程と、
前記検索条件に一致する画像の１つを表示する画像表示工程と、
所定の指示入力に応じて、表示された画像に代わって、当該画像の後或いは前の順序位置にあり、前記検索条件に一致する画像を表示する画像切り換え工程と
を備えることを特徴とする画像処理装置の制御方法。
【請求項１１】
請求項１０に記載の各工程をコンピュータに実行させることを特徴とするコンピュータプログラム。
【請求項１２】
請求項１１に記載のコンピュータプログラムを格納したことを特徴とするコンピュータ可読記憶媒体。
【請求項１３】
ファイル順序情報と関連づけられた複数の画像ファイルを記憶している記憶装置の中から、設定された検索条件に一致する画像を表示する画像処理装置であって、
所定の上下左右方向を示すキー中の上下キーのいずれかが操作された場合、検索条件を変更する検索条件変更手段と、
該検索条件変更手段で検索条件が変更された場合、変更後の検索条件に一致する画像ファイルを検索する検索手段と、
該検索手段での検索結果に基づき、前記ファイル順序情報で特定される複数の画像ファイルの並びの中で、前記検索条件に一致する画像ファイル群の相対位置を示すインジケータを表示するインジケータ表示手段と、
前記上下左右方向を示すキー中の左右キーのいずれかが操作された場合、直前に表示された画像の順序位置よりも前、或いは後の順序位置を有し、且つ、前記検索条件に一致した画像ファイルを選択し、表示する画像表示手段と
を備えることを特徴とする画像処理装置。
【請求項１４】
前記検索条件変更手段は、撮影日時、撮影モード、画像ファイルの種類の中から検索条件を選択することで、検索条件を変更することを特徴とする請求項１３に記載の画像処理装置。
【請求項１５】
前記撮影モードには、自動、近景、ポートレート、スナップ、遠景が含まれることを特徴とする請求項１４に記載の画像処理装置。
【請求項１６】
前記画像ファイルの種類には、動画像、静止画が含まれることを特徴とする請求項１４に記載の画像処理装置。
【請求項１７】
前記ファイル順序情報はファイル名に含まれるインデックス番号であることを特徴とする請求項１３に記載の画像処理装置。
【請求項１８】
前記ファイル順序情報は撮影日時を示す情報であることを特徴とする請求項１３に記載の画像処理装置。
【請求項１９】
ファイル順序情報と関連づけられた複数の画像ファイルを記憶している記憶装置の中から、設定された検索条件に一致する画像を表示する画像処理装置の制御方法であって、
所定の上下左右方向を示すキー中の上下キーのいずれかが操作された場合、検索条件を変更する検索条件変更工程と、
該検索条件変更工程で検索条件が変更された場合、変更後の検索条件に一致する画像ファイルを検索する検索工程と、
該検索工程での検索結果に基づき、前記ファイル順序情報で特定される前記複数の画像ファイルの並びの中で、前記検索条件に一致する画像ファイル群の相対位置を示すインジケータを表示するインジケータ表示工程と、
前記上下左右方向を示すキー中の左右キーのいずれかが操作された場合、直前に表示された画像の順序位置よりも前、或いは後に順序位置を有し、且つ、前記検索条件に一致した画像ファイルを選択し、表示する画像表示工程と
を備えることを特徴とする画像処理装置の制御方法。
【請求項２０】
請求項１９に記載の各工程をコンピュータに実行させることを特徴とするコンピュータプログラム。
【請求項２１】
請求項２０に記載のコンピュータプログラムを格納したことを特徴とするコンピュータ可読記憶媒体。
【発明の詳細な説明】
【技術分野】
【０００１】
本発明は、撮像した画像を検索し、表示する技術に関するものである。
【背景技術】
【０００２】
通常、デジタルカメラは、撮像素子で撮像して得られた画像を、メモリカード等の着脱自在な記憶媒体に記憶する機能、及び、撮像した画像を確認のため、或いは、所望とする画像を削除するため、更には、各種設定を行なうためのメニュー表示を行なうための表示部とを有する。また、昨今のデジタルカメラでは、静止画のみならず、動画をも記録する機能を有するようになってきている。
【０００３】
近年では、記憶媒体のメモリ容量が増大していって、多数の画像が記録可能となっている。従って、多数の画像の中からユーザが所望とする画像を見つけだす何らかの手段が必要になる。この中には、表示部に階層メニューを用意し、撮影日付毎等に分類し、その分類単位毎に閲覧させるものがあった（特許文献１）。
【特許文献１】特開２００３−１９９０２８公報
【発明の開示】
【発明が解決しようとする課題】
【０００４】
一般に、デジタルカメラは可搬性が要求されるので、操作可能なスイッチ（ボタンを含む）の数はせいぜい１０個程度であり、これらのスイッチと表示部のメニューを利用し、スイッチの数以上の機能数を持たせている。先に説明した画像の検索においても、検索項目として撮影日時で検索する指示を与えるまでに何回かの操作を必要とする。また、撮影日時だけでなく、他の種類を検索キーに設定する場合には、再度トップメニューから該当する検索メニューにたどる作業が必要になり、その操作が繁雑にならざるをえない。
【０００５】
本発明はかかる問題点に鑑みなされたものであり、撮影日時やインデックス番号等の順序情報で管理されている画像ファイルの中から、検索条件に一致する画像を表示する際、全画像ファイル中の検索条件に一致する画像ファイルの位置もしくは分布を確認可能に表示すると共に、検索条件に一致する画像を順に表示させることを可能ならしめる技術を提供しようとするものである。
【課題を解決するための手段】
【０００６】
この課題を解決するため、本発明の画像処理装置は以下の構成を備える。すなわち、
ファイル順序情報と関連づけられた複数の画像ファイルを記憶している記憶装置の中から、設定された検索条件に一致する画像を表示する画像処理装置であって、
前記ファイル順序情報で特定される前記複数の画像ファイルの並びの中で、前記検索条件に一致する画像群の相対位置を示すインジケータを表示するインジケータ表示手段と、
前記検索条件に一致する画像の１つを表示する画像表示手段と、
所定の指示入力に応じて、表示された画像に代わって、当該画像の後或いは前の順序位置にあり、前記検索条件に一致する画像を表示する画像切り換え手段とを備える。
【発明の効果】
【０００７】
本発明によれば、撮影日時で管理されている画像ファイルの中から、検索条件に一致する画像を表示する際、全画像ファイル中の検索条件に一致する画像ファイルの位置もしくは分布を確認可能に表示すると共に、検索条件に一致する画像を順に表示させることが可能になる。
【０００８】
また、他の発明によれば、上下左右キーの上下キーに検索条件の変更指示を割り当て、左右キーに検索条件に一致する画像の表示切り換えを割り当てることで、検索と画像の表示の指示が、シームレスに行なえることになる。
【発明を実施するための最良の形態】
【０００９】
以下、添付図面に従って本発明に係る実施形態を詳細に説明する。
【００１０】
＜装置構成の説明＞
図１は、実施形態におけるデジタルカメラ１００のブロック構成図である。
【００１１】
図中、１００がデジタルカメラ装置であり、１０は撮影レンズ、１２は絞り機能を備えるシャッター、１４は光学像を電気信号に変換する撮像素子、１６は撮像素子１４のアナログ信号出力をディジタル信号に変換するＡ／Ｄ変換器１６である。
【００１２】
また、１８は撮像素子１４、Ａ／Ｄ変換器１６及びＤ／Ａ変換器２６にクロック信号や制御信号を供給するタイミング発生回路であり、メモリ制御回路２２及びシステム制御回路５０により制御される。
【００１３】
２０は画像処理部であり、 Ａ／Ｄ変換器１６からのデータ或いはメモリ制御回路２２からのデータに対して所定の画素補間処理や色変換処理を行う。
【００１４】
また、画像処理部２０においては、撮像した画像データを用いて所定の演算処理を行う。システム制御回路５０は、画像処理部２０で得られた演算結果に基づいて、露光制御部４０、測距制御部４２に対して制御を行う。すなわち、ＴＴＬ（スルー・ザ・レンズ）方式により、ＡＦ（オートフォーカス）処理、ＡＥ（自動露出）処理、ＥＦ（フラッシュプリ発光）処理を行うことになる。
【００１５】
さらに、画像処理部２０においては、撮像した画像データを用いて所定の演算処理を行い、得られた演算結果に基づいてＴＴＬ方式のＡＷＢ（オートホワイトバランス）処理も行っている。
【００１６】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００１７】
Ａ／Ｄ変換器１６のデータが画像処理部２０、メモリ制御回路２２を介して、或いはＡ／Ｄ変換器１６のデータが直接メモリ制御回路２２を介して、画像表示メモリ２４或いはメモリ３０に書き込まれる。
【００１８】
また、再生においては、記録媒体２００或いは２１０からメモリ３０に読み出された圧縮画像データは、画像処理２０によって伸張され、画像表示メモリ２４に展開される。
【００１９】
２４は画像表示メモリ、２６はＤ／Ａ変換器、２８はＴＦＴ ＬＣＤ等から成る画像表示部であり、画像表示メモリ２４に書き込まれた表示用の画像データはＤ／Ａ変換器２６を介して画像表示部２８により表示される。
【００２０】
画像表示部２８を用いて撮像した画像データを逐次表示すれば、電子ファインダー機能を実現することが可能である。
【００２１】
また、画像表示部２８はＯＳＤによる各種情報表示の重畳が可能であり、表示内容としては、シングルショット/連写撮影表示、セルフタイマー表示、圧縮率表示、記録画素数表示、記録枚数表示、表示画像通し番号表示、残撮影可能枚数表示、検索キーアイコン表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信I/F動作表示、日付け・時刻表示、等がある。
【００２２】
３０は撮影した静止画像や動画像を格納するためのメモリであり、所定枚数の静止画像や所定時間の動画像を格納するのに十分な記憶量を備えている。これにより、複数枚の静止画像を連続して撮影する連射撮影やパノラマ撮影の場合にも、高速かつ大量の画像書き込みをメモリ３０に対して行うことが可能となる。
【００２３】
また、メモリ３０はシステム制御回路５０の作業領域としても使用することが可能である。
【００２４】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。４０は絞り機能を備えるシャッター１２を制御する露光制御部であり、フラッシュ４８と連携することによりフラッシュ調光機能も有するものである。４２は撮影レンズ１０のフォーカシングを制御する測距制御部、４４は撮影レンズ１０のズーミングを制御するズーム制御部、４６はバリアである保護部１０２の動作を制御するバリア制御部である。４８はフラッシュであり、ＡＦ補助光の投光機能、フラッシュ調光機能も有する。
【００２５】
露光制御部４０、測距制御部４２はＴＴＬ方式を用いて制御されており、撮像した画像データを画像処理回路２０によって演算した演算結果に基づき、システム制御回路５０が露光制御部４０、測距制御部４２に対して制御を行う。
【００２６】
５０は本実施形態におけるデジタルカメラ装置１００全体を制御するシステム制御部、５２はシステム制御部５０の動作用の定数、変数、プログラム等を記憶するメモリである。
【００２７】
５４はシステム制御部５０がプログラムの実行時に、動作状態やメッセージ等を表示する表示部である。この表示部５４は、その一部の機能が光学ファインダー１０４内に設置されている。また、表示部５４の表示内容のうち、光学ファインダー１０４内に表示するものとしては、合焦表示、手振れ警告表示、フラッシュ充電表示、シャッタースピード表示、絞り値表示、露出補正表示、等がある。
【００２８】
５６は電気的に消去・記録可能な不揮発性メモリであり、例えばＥＥＰＲＯＭ等が用いられる。
【００２９】
６０、６２、６４及び７０は、システム制御回路５０の各種の動作指示を入力するための操作手段として機能するもので、スイッチやダイアル、タッチパネル、視線検知によるポインティング、音声認識装置等の単数或いは複数の組み合わせで構成される。ここで、これらの操作手段の具体的な説明を行う。
【００３０】
６０はモードダイアルスイッチで、電源のＯＮ／オフ、撮影モード、表示モード、ＰＣ接続モード等の各機能モードを切り替え設定することが出来る。なお、撮影モードには、動画モードと静止画モードがある。そして、静止画モードには、更に、自動モード、マクロモード（近景モード）、ポートレートモード（人物撮影モード）、スナップモード（集合撮影モード）、風景モード（遠景モード）がある。動画モード、静止画モードのいずれで撮影した場合にも、それにより記録されるファイル名にはシーケンシャルな番号が割り当てられる。但し、動画像の場合には動画を示す拡張子「.avi」、静止画にはＪＰＥＧファイルである拡張子「.jpg」が付される。
【００３１】
６２はシャッタースイッチSW1で、不図示のシャッターボタンの第１段階の押下でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００３２】
６４はシャッタースイッチSW2で、シャッターボタンの第２段階の押下（全押し）でＯＮとなり、撮像素子１２から読み出した信号をＡ／Ｄ変換器１６、メモリ制御回路２２を介してメモリ３０に画像データを書き込む露光処理、画像処理部２０やメモリ制御部２２での演算を用いた現像処理、メモリ３０から画像データを読み出し、圧縮・伸長回路３２で圧縮を行い、記録媒体２００或いは２１０に画像データを書き込む記録処理という一連の処理の動作開始を指示する。
【００３３】
７０は各種ボタンやタッチパネル等からなる操作部で、メニューボタン、セットボタン、フラッシュ設定ボタン、単写/連写/セルフタイマー切り替えボタン、メニュー項目の選択や後述する画像検索に使用する上下左右の方向を示すボタン等が含まれる。
【００３４】
８０は電源制御部で、電池検出回路、DC-DCコンバータ、通電するブロックを切り替えるスイッチ回路等により構成されており、電池の装着の有無、電池の種類、電池残量の検出を行い、検出結果及びシステム制御部５０の指示に基づいてDC-DCコンバータを制御し、必要な電圧を必要な期間、記録媒体を含む各部へ供給する。
【００３５】
８２はコネクタ、８４はコネクタ、８６はアルカリ電池やリチウム電池等の一次電池やNiCd電池やNiMH電池、Li電池等の二次電池、ＡＣアダプター等からなる電源手段である。
【００３６】
９０及び９４はメモリカードやハードディスク等の記録媒体とのインターフェース、９２及び９６はメモリカードやハードディスク等の記録媒体と接続を行うコネクタ、９８はコネクタ９２及び或いは９６に記録媒体２００或いは２１０が装着されているか否かを検知する記録媒体着脱検知部である。
【００３７】
なお、本実施形態では記録媒体を取り付けるインターフェース及びコネクタを２系統持つものとして説明している。もちろん、記録媒体を取り付けるインターフェース及びコネクタは、単数或いは複数、いずれの系統数を備える構成としても構わない。また、異なる規格のインターフェース及びコネクタを組み合わせて備える構成としても構わない。
【００３８】
インターフェース及びコネクタとしては、PCMCIAカードやCF（コンパクトフラッシュ（登録商標））カード等の規格に準拠したものを用いて構成して構わない。
【００３９】
さらに、インタフェース９０及び９４、そしてコネクタ９２及び９６をPCMCIAカードやCF（コンパクトフラッシュ（登録商標））カード等の規格に準拠したものを用いて構成した場合、LANカードやモデムカード、USBカード、IEEE1394カード、P1284カード、SCSIカード、PHS等の通信カード、等の各種通信カードを接続することにより、他のコンピュータやプリンタ等の周辺機器との間で画像データや画像データに付属した管理情報を転送し合うことが出来る。
【００４０】
１０２は、画像表示装置１００のレンズ１０を含む撮像部を覆う事により、撮像部の汚れや破損を防止する保護手段としてのバリアである。１０４は光学ファインダであり、画像表示部２８による電子ファインダー機能を使用すること無しに、光学ファインダのみを用いて撮影を行うことが可能である。１１０は通信部で、RS232CやUSB、IEEE1394、P1284、SCSI、モデム、LAN、無線通信、等の各種通信機能を有する。
【００４１】
１１２は通信手段１１０により画像表示装置１００を他の機器と接続するコネクタ或いは無線通信の場合はアンテナである。
【００４２】
２００、２１０はメモリカードやハードディスク等の記録媒体である。記録媒体２００、２１０は、半導体メモリや磁気ディスク等から構成される記録部２０２、２１２、デジタルカメラ装置１００とのインタフェース部２０４、２１４、デジタルカメラ１００と接続を行うコネクタ２０６、２１６を備えている。
【００４３】
＜画像データの構造の説明＞
先に説明したように、実施形態におけるデジタルカメラ１００では動画、静止画を撮影し、記録媒体２００、２１０に格納することができる。また、その格納する際のファイル名は、前回のファイル名の番号に“１”を加算したシーケンシャルな番号で構成される文字列をファイル名とし、動画像であれば拡張子を「.avi」、静止画であれば「.jpg」とする。実施形態で記録媒体２００、２１０に格納する際のファイル名を仮に、「C#####.avi」、「C#####.jpg」として説明する。「#####」の部分の「#」は、０乃至９の数字になる。また、以降、「#####」の部分を、「ファイル名のインデックス番号」と呼ぶ。本実施形態ではこの番号は上記のように記憶媒体への格納順で自動的に付されるものであるが、記録後、ユーザによる所定の編集操作に基づき、その番号順を変更可能に構成してもよい。
【００４４】
上記の通りなので、動画像データファイルと静止画データファイルは、その拡張子を調べれば識別できることになる。また、動画像を撮影する場合には、自動焦点、自動露出で撮影していくものとする。一方、静止画であるが、先に説明したように、様々なモードを選択して撮影できる。
【００４５】
図２は、静止画データファイルの構造を示している。図示のように、ヘッダには、「ファイル名のインデックス番号」、「撮影モード」、「撮影日時（格納日時）」、「プロテクト」が含まれる。
【００４６】
「撮影モード」には、自動（Ａｕｔｏ）、マクロ、ポートレート、スナップ、風景が含まれる。いずれのモードで撮影したかは、モードダイヤル６０で設定によって決まる。「撮影日時」は、撮影（格納）した年月日時分秒の情報である。また、「プロテクト」とは、その画像が誤った操作で削除されることを防止するためのフラグである。このフラグがＯＮになると、記録媒体を初期化しない限りは削除できなくする（通常の、画像の削除操作では削除できない）。このフラグは、撮影し記録が完了した後、操作部７０で所定の操作を行なうことで、ＯＮにすることができる。
【００４７】
なお、動画像ファイルには、そのヘッダに撮影日時情報及びファイル名のインデックス番号が含まれるものとする。ただし、記録媒体２００、２１０に作成されるファイルシステムにて、ファイルの作成日時情報を管理することも可能であるので、後述する撮影日時での検索では、これを利用しても構わない。
【００４８】
＜全体の処理の説明＞
本装置に電源が投入されると、初期化処理を行い、ステップＳ１で操作者からの各種スイッチやボタンの指示入力を検出する。指示入力を検出すると、処理はステップＳ２に進んで、指示入力がモードダイヤル６０であり、尚且つ、表示モードが設定されたか否かを判断する。表示モードが設定されたと判断した場合には、ステップＳ３に進み画像表示処理を実行する。また、上記以外の指示が入力されたと判断した場合には、ステップＳ４に進み、対応する処理を行なう。例えば、シャッターボタンの押下であれば、撮影処理を実行することなるし、各種モードの切り換えであればそのモードに移行する処理を行なう。本実施形態における特徴は、表示処理にあるので、ステップＳ４内における処理については省略し、ステップＳ３について説明する。
【００４９】
＜表示処理（ステップＳ３）の概要＞
先に説明したように、記録媒体２００等は大容量化し、必然、その中に格納される画像（静止画、動画）も多数になる。
【００５０】
従って、撮影日時（もしくは、ファイル名のインデックス番号順）に撮影した画像を順次表示させると、目的とする画像を探し出すのに何度もコマ送り操作をしなければならない。
【００５１】
そこで、本実施形態では、撮影日時やファイル名のインデックス番号等のファイル順序情報はもちろんのこと、撮影した画像の種類（静止画、動画）、撮影モード等の検索キーの切り換えと、コマ送り（コマ戻し）に係る切り換えを簡便なものとし、画像を検索するようにした。以下に、その実現例を説明する。なお、本実施形態では、ファイル検索に用いるファイル順序情報として撮影日時を用いた例で説明するが、ファイル名のインデックス番号を使用した場合であっても、同様に説明可能であることはいうまでもない。
【００５２】
図４は表示モードが指示された直後における実施形態のデジタルカメラの背面図の例を示している。
【００５３】
図示において、４００は画像表示部２８の表示画面であり、４５０乃至４５３は操作部７０に含まれる上下左右キー、４５４は実行キーを示している。
【００５４】
表示画面４００には、画像を表示する画像表示エリア４０１、検索キーの種別を表示する検索キーエリア４０２、表示された画像のファイル名（拡張子を除く）を表示するファイル名表示エリア４０３、表示中の画像が記録媒体２００、２１０の全画像中の何番目かを示す画像順位表示エリア４０４（図示の場合には全画像が２８０個あって、その先頭（最古）の画像であることを示している）、画像の種類を示す画像種別エリア４０５、表示中の画像の撮影日を表示する撮影日エリア４０６、及び、記録されている全画像中の表示中の画像の時間軸上の位置及び検索条件に一致／不一致のファイルの分布を示すインジケータとしての位置表示エリア４０７を備える。ここで位置表示エリア４０７中の符号４０８は、表示中の画像の格納の順番（撮影日時）の位置を示している。
【００５５】
上記の画面構成において、操作者が検索に利用するキーはキー４５０乃至４５１である。キー４５０、４５１（上下キー）は検索キーの種別を切替えるために利用し、キー４５２は前の画像、キー４５３は次の画像の表示を指示するために利用する。
【００５６】
表示モードに移行した初期状態では、図示のように、検索キーとして「Ｄａｔｅ」が設定される。この検索キーは、キー４５０、４５１を操作することで切替えることが可能であり、その切り換え可能な検索キーの種類は図７に示すように８種類設けた。
【００５７】
装置内部では、現在の検索キーの種類を特定するため、そのインデックス番号で管理する。キー４５０、４５１を操作することで、インデックス番号を増減させるわけである。なお、インデックス番号“８”を超える指示を与えた場合には“１”に戻る。逆に、下限“１”を超える指示を与えた場合には“８”が設定されることになる。
【００５８】
表示モードに移行した直後では、検索キーエリア４０２には検索キーとして「Ｄａｔｅ」が表示されるわけであるから、移行直後ではインデックス番号を“１”にセットすることになる。換言すれば、表示モードに移行した場合にはインデックスを“１”にセットすることで、検索キーエリア４０２に表示する文字列を「Ｄａｔｅ」として決定し、操作者に報知する。
【００５９】
図７に示すように、検索キー「Ｄａｔｅ」が選択された場合、検索対象となり得る画像は動画像、静止画を問わず全画像になる。従って、図４の表示状態で、操作者がキー４５２、４５３の押下操作を行なうと、記録媒体に格納された動画像、静止画を問わず、撮影日時順に画像を検索し、その画像（縮小処理した画像）を画像画像表示エリア４０１に表示していくことになる。このとき、マーカ４０８の位置も左右方向に移動し、且つ、画像順位表示エリア４０４の分子の数字も更新していく。
【００６０】
なお、図４の表示状態で、キー４５２が押下された場合には、最新の画像を表示すると共に、マーカー４０８は右端に移動することになる。逆の場合も同様である。
【００６１】
また、動画像を表示することになった場合には、画像種別エリア４０５には動画像であることを示す文字列「ＡＶＩ」を表示し、且つ、画像表示エリア４０１にはその先頭フレーム（正確には、先頭フレームを縮小処理して得られた画像）を表示するものとする。そして、先頭フレームが表示された状態で、ボタン４５４が押下されると、その動画像を再生する。
【００６２】
ここで、キー４５０、４５１が操作された場合について説明する。キー４５０はインデックス番号を増加させるためのキー、キー４５１はインデックス番号を減少させるためのキーとして作用する。勿論、インデックス番号は図７によれば、“１”を下回ったり、“８”を超えることはできないので、インデックス番号が“１”である際にキー４５１を押下した場合にはインデックス番号は“８”に設定される。
【００６３】
図５は、図４の状態からキー４５０が操作された場合、すなわち、インデックス番号が“２”に更新された場合の表示例を示している。
【００６４】
インデックス番号が“２”に更新された場合、図７のテーブルに従えば、動画像が検索対象として設定されることになる。このとき、システム制御部５０は、先ず、記録媒体２００、２１０内に格納されている動画像ファイル（ファイルの拡張子が「.avi」のファイル）を検索する。そして、検索した結果、全２８０個の画像ファイル中、７７番目、１３０番目、１９２番目に動画像ファイルが存在することが判明したとする。
【００６５】
この場合、検索キーエリア４０２にはインデックス番号“２”で決定された文字列「Ｍｏｖｉｅ」を表示する。
【００６６】
そして、図４では静止画として２８０個の画像中の１番目の画像が表示されていたことになるので、それより後の位置で、最寄りの動画像を表示すべく、７７番目の動画像の先頭フレームを画像表示エリア４０１に表示すると共に、ファイル名表示エリア４０３にはファイル名として「Ｃ００７７」を、画像種別エリア４０５にはそのファイル名が動画像であることを示す文字列「ＡＶＩ」を表示する。
【００６７】
ここで注目する点は、位置表示エリア４０７の表示形態である。画像表示エリア４０１に表示される画像が７７番目のファイルであるので、位置表示エリア４０７内のマーカ４０８が図７に示すような位置に表示されるのは図４との関係から容易に理解できよう。しかし、上記の場合、動画像として３つが検索されたわけであるから、キー４５２、４５３を操作した際のマーカ４０８の移動できる位置は、図示のマーカ４０８、４０９の３つの位置に限られる。つまり、図５の状態で、キー４５４が操作された場合には、１３０番目のファイルにまで一気にマーカ４０８は移動する。逆に図示のエリア４１０には、検索対象となる動画像ファイルが存在しないのでマーカ４０８は移動しない。先に説明した図４での検索キー「Ｄａｔｅ」では、全画像が検索対象となり得るので、位置表示エリア４０７の表示はマーカ４０８と、移動可能を示すマーカ４０９の２つしか存在しなかったと言える。
【００６８】
以上の通りであるが、図５の状態で、キー４５１を操作して、検索キーのインデックスを“１”に戻すと、図４の状態になるが、このとき表示される画像は図５と同様の７７番目の動画像となる。つまり、検索キーの種類を変更した場合には、その種類を変更する直前に表示された画像の順位を基準位置とし、検索キーの種類の変更直後の表示する画像を決定するようにした。なお、検索キーの種類を変更した際、前記基準位置以降に撮影日時を有するファイルが存在しなかった場合には、それ以前のファイルを探し出し表示するものとした。
【００６９】
また、検索キー４５０、４５１を操作して、検索キーの種類を変更した際、その変更後の検索キーに合致するファイルが１つも存在しない場合も有り得る。図６は、この状態を示している。図示の場合、検索キーの種類として「Ｐｒｏｔｅｃｔ」、すなわち、プロテクト設置したファイルを検索する指示を行ない、記録媒体２００、２１０内に該当するファイルが１つも存在しなかった場合の表示例を示している。
【００７０】
図示の如く、画面４００の画像表示エリア４０１には、該当するファイルが存在しない旨のメッセージと、その際の検索キーを示す文字列を表示するのみで、他の表示は行なわないようにした。従って、図６の場合、操作者はキー４５０、４５１を操作して、他の検索キーに変更する等の操作を行なうことになるであろう。
【００７１】
以上であるが、上記処理を実現するための具体的な処理手順を図８のフローチャートに従って説明する。この処理は、図３の表示処理（ステップＳ３）でもある。なお、以下で説明する幾つかの変数は、システム制御部５０が利用するメモリ５２に確保されるものである。
【００７２】
先ず、表示モードに移行すると、ステップＳ１１において、検索キーインデックス番号を示す変数ＩＤＸに初期値として“１”を設定する。すなわち、デフォルトの検索キーとして「Ｄａｔｅ」を設定することになる。また、このとき、上下左右キー中の上下キーは、検索条件の切り換えを行なうためのキー、左右キーは画像切り換え（左キーは撮影日時の未来に向かうキー、右キーは過去に向かうキー）に割り当てる。
【００７３】
次いで、ステップＳ１２に進み、記録媒体２００、２１０に格納されている全画像のファイル数Ｎを検出する。
【００７４】
ステップＳ１３では、表示対象の画像ファイルの位置を示すポインタＩｐに“１”をセットする。
【００７５】
この後、ステップＳ１４にて、ステップＳ１２（もしくは、後述するステップＳ２２）で設定された検索キーインデックスＩＤＸに基づき、図７に示すテーブルから検索対象となる画像の検索を行なう。
【００７６】
この検索処理の詳細は後述するが、全画像ファイル数Ｎ個分の変数Ｐ（１）、Ｐ（２）、…、Ｐ（Ｎ）をメモリ５２に確保する。ここで、Ｐ（ｉ）の“ｉ”は、撮影した画像ファイルを撮影日時順に並べた際の順番を示す。そして、ｊ番目のファイルが検索キーに一致する場合、Ｐ（ｊ）に“１”をセットし、不一致の場合には“０”をセットする。
【００７７】
ステップＳ１５では、検索処理の結果、該当するファイルが存在するか否かを判断する。否の場合には、ステップＳ１６に進んで、図６に示すように、該当するファイルが存在しない旨のエラー表示を行なう。
【００７８】
また、検索キーに一致するファイルが存在した場合、処理はステップＳ１７に進み、画像ポインタＩｐに、検索結果得られた画像（複数存在し得る）の１つのファイルの順番を示す値を設定する。詳細は、次の通りである。
・Ｐ（Ｉｐ）＝１の場合、Ｉｐに変更無し。
・Ｐ（Ｉｐ）＝０の場合、Ｐ（Ｉｐ＋１）以降で値“１”を持つＰ（ｋ）を見つけ、Ｉｐをｋで更新する。
・Ｐ（ｋ）が見つからなかった場合、Ｐ（Ｉｐ）から遡って値“１”を持つＰ（ｍ）を見つけ、Ｉｐをｍで更新する。
【００７９】
この後、ステップＳ１８に進んで、図４に示すような各エリアを確保した画面を描画する。次いで、ステップＳ１９に進み、ポインタＩｐで示される画像（正確には縮小画像）を画像表示エリア４０１に表示する。このとき、画像順位表示エリア４０４には“Ｉｐ／Ｎ”を表示し、画像種別エリア４０５には表示する画像の種類を示す文字列（拡張子）を表示し、撮影日エリア４０６には表示する画像の撮影日を表示する。更に、位置表示エリア４０７を生成し、表示する。
【００８０】
この位置表示エリア４０７の表示処理は、例えば、そのエリア４０７の全領域を所定の第１の色で表示し、次いで、Ｐ（）＝１となっている位置を第２の色で表示し、最後にＩｐで示される位置を第３の色で表示するという処理を行なう。これにより、図４、図５に示すマーカ４０８、４０９、４１０の表示を行なう（詳細後述）。
【００８１】
こうして、ステップＳ１６、または、ステップＳ１７乃至Ｓ１９の表示処理が終わると、処理はステップＳ２０に進み、操作者からのキー入力を待つことになる。
【００８２】
何らかのキー入力が検出すると、処理はステップＳ２１に進み、入力されたのが検索キーの変更指示か、すなわち、キー４５０または４５１かを判断する。キー４５０或いは４５１が押下された判断した場合には、ステップＳ２２に進み、検索キーインデックスＩＤＸを更新する。この結果、検索キーが変更されるので、処理はステップＳ１４に戻ることになる。
【００８３】
また、指示されたキーが検索キーの変更指示ではないと判断した場合には、ステップＳ２３に進んで、画像の切り換え、すなわち、キー４５２または４５３であるか否かを判断する。
【００８４】
キー４５２、４５３が押下されたと判断した場合には、ステップＳ２４に進み、Ｉｐを更新する処理を行ない（詳細後述）、ステップＳ１９に戻る。
【００８５】
また、画像の切り換えでもないと判断した場合には、ステップＳ２５に進み、表示モードの終了か否かを判断する。否の場合には、ステップＳ２６に進んで、該当する処理を行なう。この処理の例としては、動画像の再生、静止画の拡大・スクロール、ファイルの削除、或いは、外部装置（例えばプリンタ）への出力処理等である。なお、ファイルの削除を行なった場合には、合計画像数Ｎを“１”減じる処理を行なう。
【００８６】
また、ステップＳ２５にて、表示モードの終了指示がなされた（他のモードへの移行指示がなされた）と判断した場合には、本処理を終了する。
【００８７】
次に、上記の検索処理（ステップＳ１４）の詳細を図９のフローチャートに従って説明する。
【００８８】
先ず、ステップＳ３１において、Ｎ個分の配列変数Ｐ（）をメモリ５２に確保する。次いで、ステップＳ３２に進み、画像を特定する変数ｉを“１”で初期化する。
【００８９】
ステップＳ３３では、ｉ番目の画像のヘッダ、拡張子等を解析し、その時点で設定されている検索キーで特定された条件（図７参照）に一致しているか否かを判断する。一致していればｉ番目の画像は、表示対象候補であることを示すため変数Ｐ（ｉ）に“１”をセットする（ステップＳ３４）。また、不一致であれば、ｉ番目の画像は検索した結果の表示候補とはならないので、変数Ｐ（ｉ）に“０”をセットする（ステップＳ３５）。
【００９０】
この後、ステップＳ３６に済んで、変数ｉを“１”だけ増加させ、ステップＳ３７で全画像についての判別処理が完了したと判別されるまで、ステップＳ３３以降の処理を繰り返す。
【００９１】
次に、検索キーの変更指示を行なった場合の処理（ステップＳ２２）の詳細を図１０のフローチャートに従って説明する。
【００９２】
先ず、ステップＳ４１にて、操作されのがキー４５０、４５１のいずれであるかを判断する。キー４５０が操作されたと判断した場合には、ステップＳ４２に進み、検索キーインデックス変数ＩＤＸを“１”だけ増加する。但し、実施形態では図７に示すように検索キーの種類は８種類である例で説明しているので、ＩＤＸが“８”を超えることは許されない。そのため、ステップＳ４３でＩＤＸと“８”とを比較し、ＩＤＸ＞８である場合にはステップＳ４４において、ＩＤＸに“１”をセットする。
【００９３】
一方、キー４５１が押下されたと判断した場合には、ステップＳ４５乃至Ｓ４７でＩＤＸを“１”だけ減じる処理を行なう。但し、ＩＤＸが“１”より小さくなった場合にはＩＤＸを“８”にセットする。
【００９４】
次に、画像切り換え指示を行った場合の処理（ステップＳ２４）の詳細を図１１のフローチャートに従って説明する。
【００９５】
先ず、変数ｉに現時点での画像位置を示すポインタＩｐを格納する。そして、ステップＳ５２で、操作されたのがキー４５２、４５３のいずれであるかを判断する。キー４５２であると判断した場合には、ステップＳ５３に進み、変数ｉの値を“１”だけ減じる。減じた結果、変数ｉが“１”より小さくなることは許されない。そこで、ステップＳ５４、Ｓ５５では、変数ｉが“１”より小さい場合には、最後の画像の順位を示すＮを変数ｉにセットする。
【００９６】
ステップＳ５６では、Ｐ（ｉ）＝“１”であるか否か、すなわち、ｉ番目の画像が検索結果の表示対象として設定されているか否かを判断する。否の場合には、ステップＳ５３以降の処理を繰り返すことで、表示許可の画像を探索する。こうして、Ｐ（ｉ）＝“１”が発見すると、その際の変数ｉでポインタＩｐを更新する。この結果、ポインタＩｐで示される領域の画像が画像表示エリア４０１に表示されることになるので、その位置を報知するため、位置表示エリア４０７中のポインタＩｐで示される領域を第３の色で表示し、本処理を終える。
【００９７】
一方、ステップＳ５２で、キー４５３が押下されたと判断した場合には、ステップＳ５８乃至Ｓ６１にて、現在のポインタＩｐより後に撮影された画像中で、検索処理（ステップＳ１４）で表示対象として設定されている画像を探査する処理を行なう。このステップＳ５８乃至Ｓ６１の処理での探索方向は、ステップＳ５３乃至Ｓ５６のそれと逆であるので説明するまでもないであろう。
【００９８】
次に、実施形態における検索条件に一致する画像の相対位置を示す位置表示エリア４０７の表示処理を図１２のフローチャートに従って説明する。この処理は、図８のステップＳ１８における処理の一部でもある。なお、本処理を開始する以前に、既に、全画像ファイル数Ｎ、検索条件に一致／不一致を示す変数Ｐ（）は判明していることに注意されたい。
【００９９】
先ず、ステップＳ７１において、位置表示エリア４０７の全領域を第１の色で描画する。そして、ステップＳ７２において、位置表示エリア４０７を水平方向に、全画像ファイル数Ｎで分割する。ここで分割された個々の領域を部分領域と表現する。
【０１００】
次に、ステップＳ７３に済んで、変数ｉに初期値として“１”を設定し、ステップＳ７４で変数Ｐ（ｉ）は“１”であるか否か、すなわち、撮影日時順に画像ファイルを並べた際のｉ番目の画像ファイルが、検索キーインデックスＩＤＸで示される検索条件に一致しているか否かを判別する。一致していると判別した場合、ステップＳ７５に進み、ｉ番目の部分領域を第２の色で描画し、その画像が表示対象となり得ることを報知する。
【０１０１】
次いで、ステップＳ７６に進み、変数ｉを“１”だけ増加させ、ステップＳ７７で変数ｉと全画像ファイル数Ｎとを比較し、ｉ≦Ｎである限り、ステップＳ７４以降の処理を繰り返す。
【０１０２】
以上の結果、Ｎ個の画像ファイルの中で、検索条件に一致する画像群の所在位置が第２色で表示されることになる。
【０１０３】
この後、ステップＳ７８に進んで、画像表示エリア４０１に表示する画像の順位を示すポインタＩｐに従い、ｉｐ番目の部分領域を第３の色で描画し、本処理を終える。
【０１０４】
以上説明したように本実施形態に従えば、検索した画像を表示する際、位置表示エリア４０７を表示することで、撮影日時順に並べた全画像中の検索条件に一致する画像の所在位置もしくは分布が確認できるようになる。また、画像検索し表示している最中に、検索条件をシームレスに変更できることになり、目的とする画像を簡単な操作でもって見つけ出すことが可能になる。
【０１０５】
さらにまた、位置表示エリア４０７にマーカ４０８を表示することで、操作者は、検索結果に表示される画像の撮影日時が、記録媒体に記憶された全画像中のどの程度の古さであるかを知ることができる。また、検索条件に一致する画像と不一致合の画像をマーカ４０９、４１０として表示することで、検索条件に一致する画像と不一致の画像のおおよその分布と割合を知ることも可能になる。
【０１０６】
なお、上記実施形態では、表示モードに以降した直後は、検索キーとして「Ｄａｔｅ」が設定され、最古の画像が画像表示エリア４０１に表示されるものとして説明したが、撮影した直後に、その撮影画像を確認のために表示することに鑑み、最新の画像を表示するようにしても構わない。この場合には、図８におけるステップＳ１３でＩｐに最終画像を示すＮを設定すれば良い。
【０１０７】
また、検索キーが変更される後に表示される画像は、検索キーが変更される直前で表示されていた画像の撮影日に近い画像を表示するものとしたが、検索キー変更後で検索された画像の最古（もしくは最近）の画像にするようにしても構わない。
【０１０８】
＜第２の実施形態＞
次に、第２の実施形態について説明する。本第２の実施形態の特徴賭する点は、表示モードで、某月某日の画像を見たい等の要求に応えるものである。
【０１０９】
本第２の実施形態では、このために、日（ｄａｙ）、月（ｍｏｎｔｈ）を区切り位置とし、画像を検索するものである。このため、本第２の実施形態では、図７に替えて、図１３に示すように、検索キーワードのインデックス番号“９”、“１０”として、Ｄａｙ、Ｍｏｎｔｈを追加した。キーワードＤａｙ、Ｍｏｎｔｈは共に全画像を検索対象とする。なお、当然のことであるが、本第２の実施形態を適用する場合、検索キーワードの個数は全部で１０個になるから、図１０におけるステップＳ４３は「ＩＤＸ＞１０？」と変更することになる。
【０１１０】
図１４は、画像ファイル（図示では、ファイル名、撮影年月日、及び、時分秒で示した）を、左から右に向かう方向が時間軸の正方向に並べて示したものである。また、矢印は、キー４５２、４５３が操作された際の表示画像を示すポインタＩｐの移動方向と移動量を示している。
【０１１１】
つまり、撮影日時の日、もしくは月の変化する位置を検出し、その位置にポインタＩｐを移動するようにすれば良いことになる。
【０１１２】
図１５は、検索キーとして「Ｄａｙ」が選択された際の検索処理（図８のステップＳ１４）のフローチャートである。なお、「Ｍｏｎｔｈ」が選択された場合には、以下の説明での「日」を「月」と置換えることで実現できるので、その説明は省略する。
【０１１３】
先ず、ステップＳ８１では、変数ｉに初期値として“１”を設定する。次いで、ステップＳ８２に進んで、最古の画像は表示対象とするため、変数Ｐ（ｉ）に“１”を格納する。
【０１１４】
ステップＳ８３では、ｉ番目の画像の撮影日をヘッダから取得し、それを変数Ｄに格納する。そして、ステップＳ８４で変数ｉを“１”だけ増加させる。変数ｉは全画像数Ｎを超えることが許されないので、ステップＳ８５でその判定を行なう。ここでは、ｉ≦Ｎであるものとして説明を続ける。
【０１１５】
ステップＳ８６では、ｉ番目の画像ファイルのヘッダから取得し、その結果と変数Ｄとを比較する。一致している、すなわち、同日の画像であると判断した場合には、ステップＳ８７で変数Ｐ（ｉ）に“０”を格納し、ステップＳ８４にに戻る。
【０１１６】
こうして、変数Ｄと異なる撮影日の画像ファイルが見つかると、ステップＳ８８に進み、変数Ｐ（ｉ）に“１”を格納し、ポインタＩｐの移動可能候補として設定する。そして、ステップＳ８３に戻り、変数Ｄを更新することになる。
【０１１７】
そして、上記処理をステップＳ８５で全画像についての検索が完了したと判断するまで実行する。
【０１１８】
以上の結果、図１５における検索キーとして「Ｄａｙ」が指定された場合、矢印の始端或いは終端で示される画像の位置のみの変数Ｐ（）＝“１”が設定されることになり、画像切り換えが指示された場合の処理（図８のステップＳ２４）では、撮影日の切り換わった画像のみが表示されることになる。
【０１１９】
なお、上記は、検索キーワードとして「Ｄａｙ」の例であったが、「Ｍｏｎｔｈ」の場合には、図１５における「日」を「月」に置換えれば実現できるのは明らかである。
【０１２０】
上記第２の実施形態を説明したが、例えば、記録媒体２００、２１０に多数の画像ファイルが存在する場合、月や日を単位に大まかな検索を行い、その際に表示される画像から、目的の画像がその近辺に撮影されていることが確かめたら、検索キーを「Ｄａｔｅ」等に替えるという利用形態も考えられる。
【０１２１】
なお、本第２の実施形態における「Ｄａｙ」、「Ｍｏｎｔｈ」は全画像を対象するものであったが、静止画のみに対応させたり、動画像のみに対応させたり、或いは、そのいずれかを選択するようにしても構わない。また、記録媒体がより大容量化する場合に備えて、年を単位に検索しても良いし、週を単位に検索するようにしても構わない。
【０１２２】
以上、本発明にかかる実施形態を説明したが、上記実施形態は、その一例であって、検索キーワードの種類や個数は、上記実施形態に限られるものではなく、適宜変更しても良い。
【０１２３】
更に、実施形態では、検索キーの切り換えを、一組の上下方向のキー４５０、４５１を利用するものとして説明した。しかし、例えば、静止画か動画かのファイルのフォーマットの選択、撮影モードの選択、時間（Ｄａｔｅ、Ｄａｙ、Ｍｏｎｔｈ等）に関する選択とをそれぞれ別々の組のキーで選択するようにしても良い。つまり、検索するカテゴリ毎に独立したキーの組を利用するのである。この結果、キーの数が多少増えるものの、例えば、静止画で、マクロ撮影、且つ、月単位の画像の切り換え等に対処することが可能になる。
【０１２４】
なお、実施形態では、デジタルカメラに適用する例を説明したが、本発明はデジタルカメラで撮像した画像ファイルを蓄積管理するパーソナルコンピュータ等の汎用情報処理装置用のアプリケーションプログラムでもっても実現しても構わない。この場合、図４におけるキー４５０乃至４５４を含めたキー画像をポインティングデバイスでもって指示可能なコントロールとして表示するＧＵＩを表示すれば良いであろう。
【０１２５】
また、通常、コンピュータプログラムはＣＤ−ＲＯＭ等のコンピュータ可読記憶媒体に格納され、それをコンピュータの読取りドライブにセットして、システムにコピーもしくはインストールすることで実行可能になるので、当然、そのようなコンピュータ可読記憶媒体も本発明の範疇に入る。
【図面の簡単な説明】
【０１２６】
【図１】実施形態におけるデジタルカメラのブロック構成図である。
【図２】実施形態における画像ファイルのデータ構造を示す図である。
【図３】実施形態におけるデジタルカメラのメイン処理を示すフローチャートである。
【図４】実施形態における表示モードが選択された際のデジタルカメラの背面の状態を示す図である。
【図５】検索キーが変更された際の表示例を示す図である。
【図６】検索キーが変更された場合に、該当する画像が存在しない場合の表示例を示す図である。
【図７】実施形態における検索条件テーブルを示す図である。
【図８】実施形態における表示モードの処理手順を示すフローチャートである。
【図９】実施形態における検索処理の処理手順を示すフローチャートである。
【図１０】実施形態における検索キー変更指示した際の処理手順を示すフローチャートである。
【図１１】実施形態における画像の切り換え指示した際の処理手順を示すフローチャートである。
【図１２】実施形態における位置表示エリアの表示の処理手順を示すフローチャートである。
【図１３】第２の実施形態における検索条件テーブルを示す図である。
【図１４】第２の実施形態における検索キーにおける画像表示ポインタの移動方向と移動量とを示す図である。
【図１５】第２の実施形態における検索処理の手順を示すフローチャートである。
【図１】
2006211390.tif 000003
【図２】
2006211390.tif 000004
【図３】
2006211390.tif 000005
【図４】
2006211390.tif 000006
【図５】
2006211390.tif 000007
【図６】
2006211390.tif 000008
【図７】
2006211390.tif 000009
【図８】
2006211390.tif 000010
【図９】
2006211390.tif 000011
【図１０】
2006211390.tif 000012
【図１１】
2006211390.tif 000013
【図１２】
2006211390.tif 000014
【図１３】
2006211390.tif 000015
【図１４】
2006211390.tif 000016
【図１５】
2006211390.tif 000017